(57)【要約】【課題】シートリクライニング装置を操作する回転可能な操作部材において、配置の自由度やスペース効率の高さと支持性能の高さを両立した支持構造を得る。【解決手段】シートクッションに対するシートバックの角度設定を行うリクライニングロック機構を操作するリクライニング操作部材を支持部材に対して回転可能に支持する軸部材と、支持部材に対するリクライニング操作部材の回転方向の移動端を決める回転制限部材と、軸部材に設けられて支持部材に対して軸部材に沿う方向へのリクライニング操作部材の移動を規制する第１の軸方向保持部と、回転制限部材に設けられて支持部材に対して軸部材に沿う方向へのリクライニング操作部材の移動を規制する第２の軸方向保持部とを備えた。【選択図】図１３
2018027749.tif 000002
【特許請求の範囲】
【請求項１】
シートクッションに対して傾動可能なシートバックと、上記シートバックの角度を固定するロック状態と上記シートバックの角度調整を可能にするロック解除状態に動作可能なリクライニングロック機構と、上記リクライニングロック機構を上記ロック解除状態に操作するリクライニング操作部材とを有するシートリクライニング装置において、
上記シートクッションに固定される支持部材と、
上記支持部材に対して上記リクライニング操作部材を回転可能に支持する軸部材と、
上記支持部材に対する上記リクライニング操作部材の回転方向の移動端を決める回転制限部材と、
上記軸部材に設けられ、上記支持部材に対する上記リクライニング操作部材の上記軸部材に沿う方向への移動を規制する第１の軸方向保持部と、
上記回転制限部材に設けられ、上記支持部材に対する上記リクライニング操作部材の上記軸部材に沿う方向への移動を規制する第２の軸方向保持部と、
を備えたことを特徴とするシートリクライニング装置。
【請求項２】
上記支持部材は、上記軸部材を支持する軸支持穴と、上記軸支持穴を中心とする円弧形状であり上記回転制限部材が移動可能に挿入される長穴とを備え、
上記リクライニング操作部材は、上記軸部材が相対回転可能に挿入される軸穴と、上記回転制限部材を支持する回転制限部材支持穴とを備え、
上記軸部材は上記軸穴から突出する第１の突出部と上記軸支持穴から突出する第２の突出部とを備え、上記第１の突出部と上記第２の突出部によって上記支持部材と上記リクライニング操作部材を挟んで上記第１の軸方向保持部を構成し、
上記回転制限部材は上記回転制限部材支持穴から突出する第３の突出部と上記長穴から突出する第４の突出部とを備え、上記第３の突出部と上記第４の突出部によって上記支持部材と上記リクライニング操作部材を挟んで上記第２の軸方向保持部を構成する請求項１に記載のシートリクライニング装置。
【請求項３】
上記リクライニング操作部材は、上記回転制限部材支持穴と上記軸穴を有するベース部材と、上記ベース部材に固定されるハンドル部材とを備える請求項２に記載のシートリクライニング装置。
【請求項４】
回転によって上記リクライニングロック機構を上記ロック状態と上記ロック解除状態にさせる駆動部材と、
上記リクライニング操作部材と上記駆動部材を接続して上記リクライニング操作部材の回転動作を上記駆動部材に伝える接続部材と
を備え、上記接続部材は、上記軸部材を中心とする半径方向において上記回転制限部材よりも上記軸部材に近い位置で上記リクライニング操作部材に接続している請求項１ないし３のいずれか１項に記載のシートリクライニング装置。
【発明の詳細な説明】
【技術分野】
【０００１】
本発明は、車両用シートのシートリクライニング装置に関する。
【背景技術】
【０００２】
車両用シートでシートバックの角度を可変にするシートリクライニング装置の多くは、操作手段として回転可能なハンドル（レバー）を備える。この種のハンドルの支持構造として、支持部材によって軸支した上で、支持部材に対して回転方向の移動範囲を機械的に制限するものが知られている。
【先行技術文献】
【特許文献】
【０００３】
【特許文献１】特開２００８−７４１５０号公報
【発明の概要】
【発明が解決しようとする課題】
【０００４】
ハンドルの品質向上のために、回転軸に対する傾きやガタつきが生じない安定した支持構造が求められる。その一方で、近年は車両用シートの高機能化に伴ってシートリクライニング装置の構成が複雑化し、ハンドルの支持構造に関して配置の自由度の向上や省スペース化が求められており、ハンドルの安定性向上を目的とした支持構造の大型化が制約される場合がある。
【０００５】
本発明は、回転可能な操作部材を備えたシートリクライニング装置において、配置の自由度やスペース効率の高さと支持性能の高さを両立した操作部材の支持構造を得ることを目的とする。
【課題を解決するための手段】
【０００６】
本発明は、シートクッションに対して傾動可能なシートバックと、シートバックの角度を固定するロック状態とシートバックの角度調整を可能にするロック解除状態に動作可能なリクライニングロック機構と、リクライニングロック機構をロック解除状態に操作するリクライニング操作部材とを有するシートリクライニング装置に関するものである。シートクッションに固定される支持部材に対してリクライニング操作部材を回転可能に支持する軸部材と、支持部材に対するリクライニング操作部材の回転方向の移動端を決める回転制限部材と、軸部材に設けられ、支持部材に対して軸部材に沿う方向へのリクライニング操作部材の移動を規制する第１の軸方向保持部と、回転制限部材に設けられ、支持部材に対して軸部材に沿う方向へのリクライニング操作部材の移動を規制する第２の軸方向保持部とを備えたことを特徴としている。
【０００７】
具体的には次のように構成することが好ましい。支持部材には、軸部材を支持する軸支持穴と、軸支持穴を中心とする円弧形状であり回転制限部材が移動可能に挿入される長穴を設ける。リクライニング操作部材には、軸部材が相対回転可能に挿入される軸穴と、回転制限部材を支持する回転制限部材支持穴を設ける。軸部材は軸穴から突出する第１の突出部と軸支持穴から突出する第２の突出部とを備え、第１の突出部と第２の突出部によって支持部材とリクライニング操作部材を挟んで第１の軸方向保持部を構成する。回転制限部材は回転制限部材支持穴から突出する第３の突出部と長穴から突出する第４の突出部とを備え、第３の突出部と第４の突出部によって支持部材とリクライニング操作部材を挟んで第２の軸方向保持部を構成する。
【０００８】
リクライニング操作部材は、回転制限部材支持穴と軸穴を有するベース部材と、ベース部材に固定されるハンドル部材を組み合わせて構成することにより、レイアウトの自由度を向上させることができる。
【０００９】
回転によってリクライニングロック機構をロック状態とロック解除状態にさせる駆動部材と、リクライニング操作部材と駆動部材を接続してリクライニング操作部材の回転動作を駆動部材に伝える接続部材とを備え、接続部材は、軸部材を中心とする半径方向において回転制限部材よりも軸部材に近い位置でリクライニング操作部材に接続することが好ましい。
【発明の効果】
【００１０】
以上のように本発明のシートリクライニング装置では、支持部材に対してリクライニング操作部材を回転可能に支持する軸部材と、支持部材に対するリクライニング操作部材の回転方向の移動端を決める回転制限部材のそれぞれに、支持部材に対して軸部材に沿う方向へのリクライニング操作部材の移動を規制する軸方向保持部を設けている。このようにリクライニング操作部材の回転動作に関与する軸部材と回転制限部材の双方に軸方向保持部を設けたことにより、リクライニング操作部材の支持安定性と支持強度の向上に顕著な効果を得ることができる。加えて、軸部材と回転制限部材に集約して軸方向保持部を設けたことにより、リクライニング操作部材の支持構造の複雑化や大型化を防ぐことができ、支持性能（安定性、強度）の高さとレイアウトの自由度の高さを両立させることができる。
【図面の簡単な説明】
【００１１】
【図１】車両用シートの側面図である。
【図２】車両用シートの片側に設けたシートリクライニング装置の分解斜視図である。
【図３】シートリクライニング装置の斜視図である。
【図４】一部の構成要素を省いて図３と異なる角度から見たシートリクライニング装置の斜視図である。
【図５】シートバックがリクライニング範囲にある状態のシートリクライニング装置をシート外側から見た側面図である。
【図６】シートバックがリクライニング範囲にある状態のシートリクライニング装置をシート内側から見た側面図である。
【図７】シートバックが中間停止位置にある状態のシートリクライニング装置をシート外側から見た側面図である。
【図８】シートバックが中間停止位置にある状態のシートリクライニング装置をシート内側から見た側面図である。
【図９】シートバックがフォールダウン位置にある状態のシートリクライニング装置をシート外側から見た側面図である。
【図１０】シートバックがフォールダウン位置にある状態のシートリクライニング装置をシート内側から見た側面図である。
【図１１】シートバックをフォールダウン位置からリクライニング範囲の直前まで傾動させた状態のシートリクライニング装置をシート外側から見た側面図である。
【図１２】シートバックをフォールダウン位置からリクライニング範囲の直前まで傾動させた状態のシートリクライニング装置をシート内側から見た側面図である。
【図１３】図５のXIII-XIII線に沿う断面図である。
【図１４】オープンプレートをシート内側から見た平面図である。
【図１５】第１レバーをシート内側から見た平面図である。
【図１６】第２レバーをシート内側から見た平面図である。
【図１７】キャンセルレバーをシート内側から見た平面図である。
【図１８】第１ブラケットの斜視図である。
【図１９】支持ガイド板をシート内側から見た平面図である。
【図２０】ハンドル締結部材をシート内側から見た平面図である。
【図２１】第２ブラケットの斜視図である。
【図２２】シートリクライニング装置に設けた２本のケーブルの高さ方向の配置を模式的に示す図である。
【図２３】２本のケーブルの高さ方向の配置の異なる形態を模式的に示す図である。
【図２４】２本のケーブルの高さ方向の配置の異なる形態を模式的に示す図である。
【発明を実施するための形態】
【００１２】
図１に示す車両用シート１は、シートトラック２を介して車両の前後方向に移動可能に支持されている。シートトラック２は、床面に固定されるロアレール２ａと、ロアレール２ａに対して前後方向にスライド可能なアッパレール２ｂとを有する。アッパレール２ｂは、図１に概念的に示すスライドロック機構３によって、ロアレール２ａに対するスライドが規制されるスライドロック状態と、ロアレール２ａに対してスライド可能なスライド許容状態にさせることができる。スライドロック機構３は周知のものを適用可能であり、詳細な説明を省略する。車両用シート１は、図示しないスライド用ばねによって前方に向けて移動付勢されている。
【００１３】
車両用シート１は、座面部分であるシートクッション４と背もたれ部分であるシートバック５を有している。シートクッション４を構成するシートクッションフレーム４ａ（図１に部分的に示す）がアッパレール２ｂ上に固定的に支持されている。シートクッション４の後端付近には、後述するシートリクライニング装置１０を介して前後方向へ傾動可能にシートバック５が支持されている。図１ではシートバック５の傾動の中心である回転中心５ｘを模式的に示している。シートリクライニング装置１０は、図１に示すリクライニング範囲（ロック範囲）Ｒでは、後述するリクライニングロック機構（リクライニング機構）１４，７１が作動してシートバック４を任意の角度位置に保持（リクライニングロック）することが可能である。リクライニング範囲Ｒのうちシートバック５のリクライニング角が最も小さい（起立した）位置が初段ロック位置５Ａである。シートリクライニング装置１０はシートバック５を前倒れ方向（図１の時計方向）に付勢しており、リクライニングロックを解除すると、シートバック５が初段ロック位置５Ａよりも前方に倒れる。初段ロック位置５Ａよりも前方のシートバック５の傾動範囲は、リクライニングロック機構１４，７１の非作動状態が維持される（リクライニングロックが行われない）アンロック範囲Ｕとなる。
【００１４】
図１に示すように、シートクッション４の側面には、シートバック５の回転中心５ｘの下方に位置する回転中心６ｘを中心として回転操作可能なレリーズハンドル（リクライニング操作部材、ハンドル部材）６が設けられている。シートバック５にはウォークイン操作レバー７が設けられている。また、シートクッション４の側面には、レリーズハンドル６と異なる位置にフォールダウン操作レバー８が設けられている。レリーズハンドル６とウォークイン操作レバー７の操作により、リクライニングロックを解除してアンロック範囲Ｕの中間停止位置５Ｂまでシートバック５を前方に倒すことができる。さらにフォールダウン操作レバー８の操作により、背面が略水平になるフォールダウン位置５Ｃまでシートバック５を前方に倒すことができる。これらの各位置へのシートバック５の動作については後に詳述する。
【００１５】
図２以降を参照してシートリクライニング装置１０について説明する。シートリクライニング装置は車両用シート１の幅方向の両側に１つずつ設けられており、図示しているシートリクライニング装置１０はその片側（図１の車両用シート１における進行方向に向かって右側）のものである。以下のシートリクライニング装置１０の説明における「シート内側」は、車両用シート１の幅方向の中心に近い側を意味し、「シート外側」は車両用シート１の幅方向の中心から遠い側（図１に表れている車両用シート１の右側面の方向）を意味する。図５、図７、図９及び図１１はシートリクライニング装置１０をシート外側から見た状態、図６、図８、図１０及び図１２はシートリクライニング装置１０をシート内側から見た状態である。図１４ないし図１７、図１９及び図２０に示す各部材（オープンプレート２０、第１レバー２１、第２レバー３０、キャンセルレバー３１、支持ガイド板４１、ハンドル締結部材４２）はシート内側から平面視したものであり、シート外側から見ている図５、図７、図９及び図１１とは表裏が逆になっている。
【００１６】
図２に示すように、シートリクライニング装置１０は、シートクッション４側に固定的に支持されるロアブラケット１１と、シートバック５側に固定的に支持されるアッパブラケット１２を有する。ロアブラケット１１は支持プレート１３を介してシートクッションフレーム４ａ（図１）の後端付近に固定されている。ロアブラケット１１とアッパブラケット１２の間にリクライニングロック機構１４が設けられている。リクライニングロック機構１４はラウンドタイプのリクライニングロック機構であり、その構成は周知のものであるため簡略に説明する。それぞれが円盤状をなすベースプレート１４ａとラチェットプレート１４ｂが相対回転可能に組み合わされており、ベースプレート１４ａはロアブラケット１１の上端近くに位置する締結部１１ａに溶接で固定され、ラチェットプレート１４ｂはアッパブラケット１２の下端近くに位置する締結部１２ａに溶接で固定される。ベースプレート１４ａとラチェットプレート１４ｂの相対回転の中心が、図１に示すシートバック５の回転中心５ｘである。ベースプレート１４ａとラチェットプレート１４ｂの間に、回転中心５ｘを中心とする半径方向に移動可能な複数のロック部材（図示略）と、回転中心５ｘを中心として回転するカム部材（図示略）とが配置される。各ロック部材はベースプレート１４ａに対して回転方向の移動が規制されており、カム部材はベースプレート１４ａとラチェットプレート１４ｂの中心（回転中心５ｘ上）に挿入したヒンジピン１５と一体的に回転する。カム部材の回転方向の位置変化によって各ロック部材の半径方向位置が変化する。各ロック部材が外径方向に移動すると、各ロック部材に形成した外歯がラチェットプレート１４ｂに形成した内歯と噛み合い、ベースプレート１４ａとラチェットプレート１４ｂの相対回転が規制される。リクライニングロック機構１４に内蔵したロック付勢ばね（図示略）によって、カム部材はロック部材の外歯をラチェットプレート１４ｂの内歯に噛合させるロック方向へ付勢されている。そのためリクライニングロック機構１４は、外部から操作しない状態では、ロアブラケット１１に対するアッパブラケット１２の傾動を規制するロック状態を維持する。
【００１７】
アッパブラケット１２は、図２に示す前倒れ付勢ばね１６によって前倒れ方向（中間停止位置５Ｂやフォールダウン位置５Ｃ）に付勢されている。前倒れ付勢ばね１６は、一端がアッパブラケット１２に係合し、他端が支持ブラケット１３に係合する渦巻きばねである。
【００１８】
ロアブラケット１１のシート外側には、ヒンジピン１５と一体的に回転するオープンプレート（駆動部材）２０が設けられる。図２や図１４に示すように、オープンプレート２０は、非円形穴２０ａを長手方向の中央付近に有し、長手方向の一端付近にケーブル接続穴２０ｂと円弧穴２０ｃを有し、長手方向の他端付近にケーブル接続穴２０ｄを有している。非円形穴２０ａにヒンジピン１５の非円形断面部が挿入されることによって、ヒンジピン１５とオープンプレート２０が一体的に回転するように結合される。円弧穴２０ｃは、非円形穴２０ａに挿入したヒンジピン１５の中心軸（回転中心５ｘ）を中心とする円周方向に延びる長穴である。リクライニングロック機構１４に内蔵した前述のロック付勢ばねの付勢力がヒンジピン１５を介してオープンプレート２０に作用しており、この付勢力は、図５、図７、図９及び図１１における時計方向、図１４における反時計方向に向けてオープンプレート２０を付勢し、オープンプレート２０をロック位置（図５、図９及び図１１）に保持する。オープンプレート２０は付勢力に抗してロック位置からロック解除位置（図７）へ回転することができる。
【００１９】
ロアブラケット１１のシート外側には、オープンプレート２０の下方の位置に、軸部材２２を介して第１レバー２１が回転可能に支持される。図２や図１５に示すように、第１レバー２１は一端付近に軸穴２１ａを有し、軸穴２１ａを中心とする半径方向に概ね並ぶ位置関係で、軸穴２１ａから近い順にピン支持穴２１ｂとピン支持穴２１ｃとケーブル接続部２１ｄを有する。また、第１レバー２１にはバネ掛け穴２１ｅが形成されている。
【００２０】
第１レバー２１の軸穴２１ａに対して軸部材２２（図２）が挿通される。軸部材２２は、ロアブラケット１１の軸支持穴１１ｂ（図２）に挿入されて固定的に支持される。軸部材２２の中心軸はシートバック５の回転中心５ｘと略平行であり、第１レバー２１は軸部材２２を中心として回転可能に支持される。なお、図１５に示すように、軸部材２２において軸穴２１ａに挿入されている部分は円形断面部２２ａであり、これに対して軸穴２１ａは軸部材２２の円形断面部２２ａよりもわずかに横長の長穴形状になっている。軸穴２１ａの長手方向は、ピン支持穴２１ｂとピン支持穴２１ｃとケーブル接続部２１ｄが並ぶ方向に向いている。より詳細には、軸穴２１ａの長手方向の延長上にピン支持穴２１ｃが位置しており、この長手方向に沿ってロアブラケット１１に対する第１レバー２１の支持位置の誤差を吸収（調整）することができる。但し、軸穴２１ａと軸部材２２の間のクリアランスは、第１レバー２１のガタつきや異音を生じさせないごく小さいものである。
【００２１】
第１レバー２１のピン支持穴２１ｂにはシート外側へ向けて突出する連係ピン２３が挿入支持され、ピン支持穴２１ｃにはシート内側へ向けて突出するストッパピン２４が挿入支持される。連係ピン２３は円筒状の外周面を有する突起である。ストッパピン２４は、ピン支持穴２１ｃに挿入支持される軸部２４ａの外周面上に、連係ピン２３よりも大径の円筒形状の外筒２４ｂを回転可能に支持したものであり、ロアブラケット１１に形成した円弧穴１１ｃを通してロアブラケット１１のシート内側に突出する（図６、図８、図１０、図１２）。第１レバー２１に組み付けられた状態の連係ピン２３とストッパピン２４の外周面を、図１５に一点鎖線で仮想的に示している。円弧穴１１ｃは、軸支持穴１１ｂに挿入支持された軸部材２２の円形断面部２２ａ（図１５）を中心とする円周方向に延びる長穴である。
【００２２】
アッパブラケット１２の下端付近には制御突起２５が形成されている。図６、図８、図１０及び図１２に示すように、制御突起２５はシートバック５の回転中心５ｘから偏心した位置にあり、回転中心５ｘを中心とする回転方向の一方を向く第１押圧面２５ａと、回転方向の他方を向く第２押圧面２５ｂと、第１押圧面２５ａと第２押圧面２５ｂを接続する周縁湾曲面２５ｃとを有している。第１押圧面２５ａは概ね回転中心５ｘを中心とする半径方向に延びる平面である。第２押圧面２５ｂは第１押圧面２５ａに対して一定の傾斜を有する平面であり、シートバック５の回転中心５ｘから離れて制御突起２５の先端側に進むにつれて第２押圧面２５ｂが第１押圧面２５ａとの間隔を小さくする傾斜方向になっている。周縁湾曲面２５ｃは回転中心５ｘを中心とする円周方向に延びる湾曲面である。
【００２３】
第１レバー２１は軸部材２２を中心とする揺動（回転）によって、ストッパピン２４がアッパブラケット１２の制御突起２５の移動軌跡（回転中心５ｘを中心とする制御突起２５の回転軌跡）上に進出する前倒れ制限位置（図７）と、ストッパピン２４が制御突起２５の移動軌跡から下方に退避する制限解除位置（図５、図９、図１１）とに移動する。第１レバー２１は、一端がバネ掛け穴２１ｅに係合し、他端がロアブラケット１１上に固定されるばね掛け片２７（図２、図３）に係合する引張ばね２６（図１５）によって前倒れ制限位置の方向（図５、図７、図９及び図１１の時計方向、図１５の反時計方向）へ付勢されている。図８に示すように、ストッパピン２４（外筒２４ｂ）が円弧穴１１ｃの上側の端部に当接することで引張ばね２６の付勢方向への移動端（すなわち前倒れ制限位置）が決まる。
【００２４】
ロアブラケット１１にはさらに、第１レバー２１の下方の位置に、軸部材３２を介して第２レバー３０とキャンセルレバー３１が回転可能に支持される。第２レバー３０はロアブラケット１１に対してシート外側に位置し、キャンセルレバー３１はロアブラケット１１に対してシート内側に位置する。
【００２５】
図２や図１６に示すように、第２レバー３０は、小判状の非円形穴３０ａが形成される中央部３０ｂからそれぞれ異なる方向に、フック部３０ｃとケーブル接続部３０ｄとばね掛け部３０ｅを突出させている。フック部３０ｃは、基端が中央部３０ｂに接続する片持ち状の突出部であり、基端から非円形穴３０ａを中心とする半径方向に向けて突出し、その途中で概ね軸部材３２を中心とする回転方向に向けて屈曲する形状を有している。フック部３０ｃと中央部３０ａの間に、第２レバー３０の回転方向に向けて開口する凹部３０ｆが形成され、フック部３０ｃには、凹部３０ｆの内縁部分を形成する直線（平面）状の当接縁部３０ｇが形成される。ばね掛け部３０ｅは、中央部３０ｂに対して略垂直に曲げられてシート内側に向けて突出している（図２、図３）。
【００２６】
図２や図１７に示すように、キャンセルレバー３１は、小判状の非円形穴３１ａが形成される中央部３１ｂと、中央部３１ｂから半径方向に突出する被押圧突起３１ｃを有している。被押圧突起３１ｃは、中央部３１ｂから離れて先端側に進むにつれて徐々に互いの間隔を狭くする一対の側面３１ｄ，３１ｅを有する先細形状であり、被押圧突起３１ｃの先端は滑らかな先端湾曲面３１ｆになっている。
【００２７】
軸部材３２は、円形断面部を挟んで２つの非円形断面部を同軸上に有しており、軸部材３２の一方の非円形断面部が第２レバー３０の非円形穴３０ａに挿入される。軸部材３２の円形断面部は、ロアブラケット１１に形成した略円形の軸穴１１ｄ（図２）に回転可能に挿入される。軸部材３２の他方の非円形断面部はキャンセルレバー３１の非円形穴３１ａに挿入される。それぞれが軸部材３２の非円形断面部に支持された第２レバー３０とキャンセルレバー３１は、ロアブラケット１１に対して軸部材３２を中心として一体的に回転可能となる。ロアブラケット１１には、第２レバー３０のばね掛け部３０ｅに沿う位置に、シート外側に向けて突出する切り起こし片１１ｅ（図３、図４）が形成され、切り起こし片１１ｅの基部が逃げ穴１１ｆの内縁部に接続している。ばね掛け部３０ｅは逃げ穴１１ｆに挿入され、第２レバー３０が回転するとばね掛け部３０ｅが逃げ穴１１ｆ内を移動する。
【００２８】
第２レバー３０は軸部材３２を中心とする揺動（回転）によって、第１レバー２１に設けた連係ピン２３の移動軌跡（軸部材２２を中心とする回転軌跡）上にフック部３０ｃを進退させる。第２レバー３０の保持位置（図５、図９）では、フック部３０ｃが連係ピン２３の移動軌跡上に進出する（凹部３０ｆに連係ピン２３が進入する）。第１レバー２１が制限解除位置にあり第２レバー３０が保持位置にある状態では、フック部３０ｃの当接縁部３０ｇに対して連係ピン２３が当接して、前倒れ制限位置への第１レバー２１の回転を第２レバー３０が規制する。第２レバー３０の保持解除位置（図７）では、フック部３０ｃが連係ピン２３の移動軌跡から退避して（凹部３０ｆから連係ピン２３が離脱して）、前倒れ制限位置への第１レバー２１の回転を許容する。第２レバー３０はさらに、保持位置に対して保持解除位置と反対方向に進んだオーバー保持位置（図１１）にも回転することができる。第２レバー３０のオーバー保持位置では、保持位置と同様にフック部３０ｃが連係ピン２３の移動軌跡上に進出して、当接縁部３０ｇと連係ピン２３の当接によって前倒れ制限位置への第１レバー２１の回転を規制する。すなわち第２レバー３０は、中間の保持位置（図５、図９）と、その正逆の方向にある保持解除位置（図７）及びオーバー保持位置（図１１）に回転可能であり、保持位置とオーバー保持位置ではフック部３０ｃと連係ピン２３の当接によって第１レバー２１を制限解除位置に保持し、保持解除位置では第１レバー２１への回転規制を解除する。図５や図７に示すように、第２レバー３０の当接縁部３０ｇは、連係ピン２３が当接するときに、概ね軸部材２２を中心とする半径方向に向く面となる。そのため、連係ピン２３の移動軌跡に対して当接縁部３０ｇが略正対する位置関係となり、第１レバー２１から第２レバー３０に対して不要な回転方向の分力を生じさせずに、効率的かつ確実に第１レバー２１の回転規制を行うことができる。
【００２９】
キャンセルレバー３１は軸部材３２を中心とする揺動（回転）によって、アッパブラケット１２の制御突起２５の移動軌跡（回転中心５ｘを中心とする制御突起２５の回転軌跡）上に被押圧突起３１ｃを進退させる。第２レバー３０が保持位置（図５、図９）にあるときに、キャンセルレバー３１は被押圧突起３１ｃが制御突起２５の移動軌跡上に進出する中立位置（図６、図１０）にある。第２レバー３０が保持解除位置（図７）にあるときに、キャンセルレバー３１は被押圧突起３１ｃが制御突起２５の移動軌跡上から退避する第１の空振り位置（図８）にある。また、第２レバー３０がオーバー保持位置（図１１）にあるときに、キャンセルレバー３１は被押圧突起３１ｃが制御突起２５の移動軌跡上から退避する第２の空振り位置（図１２）にある。すなわちキャンセルレバー３１は、中間の中立位置（図６、図１０）と、その正逆の方向にある第１の空振り位置（図８）と第２の空振り位置（図１２）に回転可能であり、アッパブラケット１２の回転に伴う制御突起２５の移動に応じて位置が制御される。
【００３０】
第１レバー２１上のストッパピン２４とキャンセルレバー３１の被押圧突起３１ｃは、アッパブラケット１２の回転方向に位置を異ならせて配置されており、アッパブラケット１２の動作に応じて制御突起２５が異なるタイミングでストッパピン２４とキャンセルレバー３１に当接する。図６、図８及び図１０に示すように、アッパブラケット１２（シートバック５）が前方に向けて傾動するときには、キャンセルレバー３１、ストッパピン２４の順で制御突起２５が当接する。
【００３１】
第２レバー３０とキャンセルレバー３１はそれぞれトーションばね３３によって保持位置と中立位置に付勢されている。トーションばね３３は、軸部材３２の円形断面部を囲むコイル部と、コイル部から外径方向に延出する一対のばね端部を有しており、一対のばね端部が第２レバー３０のばね掛け部３０ｅとロアブラケット１１の切り起こし片１１ｅとを挟んでいる（図３、図４）。第２レバー３０が保持位置から正逆に回転すると、一方のばね端部がばね掛け部３０ｅに押圧されるのに対して、他方のばね端部が切り起こし片１１ｅに係合して移動を規制されるため、一対のばね端部の間隔が広がってトーションばね３３が撓む。この撓みを解消しようとする力が、第２レバー３０を保持位置へ戻すと共にキャンセルレバー３１を中立位置へ戻そうとする付勢力になる。前述のように、第２レバー３０が保持位置とオーバー保持位置にあるときに、連係ピン２３から当接縁部３０ｇに対して回転方向の分力が伝わりにくい（当接縁部３０ｇが連係ピン２３の移動方向に対して正対する）関係であるため、トーションばね３３に要求される負荷を抑えることができる。
【００３２】
ロアブラケット１１のシート外側の面の下端付近には、第１ブラケット（支持部材）４０が固定されている。図１８に示すように、第１ブラケット４０は、平板状の支持板部４０ａと、支持板部４０ａからロアブラケット１１側（シート内側）に向けて延設された２つの脚部４０ｂ，４０ｃと、各脚部４０ｂ，４０ｃの端部から支持板部４０ａと略平行に延設された平板状の台座部４０ｄ，４０ｅを有している。支持板部４０ａには軸支持穴４０ｆと締結穴４０ｇが形成されている。支持板部４０ａや台座部４０ｄに対して略垂直な平板状の側板４０ｈが脚部４０ｂから突出しており、側板４０ｈには第１ブラケット４０の高さ方向（シート幅方向）に位置を異ならせてケーブル支持溝４０ｉとケーブル支持溝４０ｊが形成されている。ケーブル支持溝４０ｉとケーブル支持溝４０ｊは互いに略平行な溝部であり、側板４０ｈの一辺に開口している。第１ブラケット４０をロアブラケット１１に取り付けた状態で、ケーブル支持溝４０ｉとケーブル支持溝４０ｊの開口は概ね車両後方に向く。
【００３３】
第１ブラケット４０の支持板部４０ａ上には支持ガイド板（支持部材）４１が固定される。図２や図１９に示すように、支持ガイド板４１の大部分は平板部４１ａによって構成されており、平板部４１ａの縁からシート外側に向けてばね掛け片４１ｂが突出している。平板部４１ａは第１ブラケット４０の支持板部４０ａよりも面積が大きく、平板部４１ａにおいて支持板部４０ａと重なる部分には軸支持穴４１ｃと締結穴４１ｄが形成され、支持板部４０ａと重ならない部分には円弧穴（長穴）４１ｅが形成されている。円弧穴４１ｅは軸支持穴４１ｃを中心とする円周方向に延びる長穴であり、長手方向の両方の端部４１ｅ-１，４１ｅ-２は軸支持穴４１ｃを中心とする半径方向に延びる直線（平面）形状になっている。
【００３４】
支持ガイド板４１の平板部４１ａ上にハンドル締結部材（リクライニング操作部材、ベース部材）４２が支持される。図２や図２０に示すように、ハンドル締結部材４２は、略面一の関係となる平板部４２ａ及び平板部４２ｂと、平板部４２ａ及び平板部４２ｂに対してシート外側にオフセットする平板部４２ｃ及び平板部４２ｄとを有しており、平板部４２ａと平板部４２ｂが概ね対角の位置関係で、平板部４２ｃと平板部４２ｄが概ね対角の位置関係にある。平板部４２ａに軸穴４２ｅが形成され、平板部４２ｂにガイドピン取付穴（回転制限部材支持穴）４２ｆが形成されている。また、平板部４２ｃに２つのハンドル締結穴４２ｇが形成され、平板部４２ｄにロッド取付穴４２ｈが形成されている。
【００３５】
図１３に示すように、第１ブラケット４０と支持ガイド板４１とハンドル締結部材４２は、軸支持穴４０ｆと軸支持穴４１ｃと軸穴４２ｅが連通するように位置を合わせて重ねられる。また、支持ガイド板４１とハンドル締結部材４２は円弧穴４１ｅとガイドピン取付穴４２ｆが重なる位置関係とし（図１３）、第１ブラケット４０と支持ガイド板４１は締結穴４０ｇと締結穴４１ｄが重なる位置関係とする（図９）。このように位置合わせして重ねた状態で、第１ブラケット４０の支持板部４０ａが支持ガイド板４１の平板部４１ａに対してシート内側から当接し、ハンドル締結部材４２の平板部４２ａ及び平板部４２ｂが支持ガイド板４１の平板部４１ａに対してシート外側から当接する。
【００３６】
図１３に示すように、軸支持穴４０ｆと軸支持穴４１ｃと軸穴４２ｅに対して軸部材４３が挿入される。軸部材４３は、それぞれが円筒状の外周面を有する大径部（第１の軸方向保持部、第１の突出部）４３ａと中間径部４３ｂと小径部４３ｃが同軸上に並ぶ構成であり、小径部４３ｃを先頭にしてシート外側からシート内側に向けて（すなわち軸穴４２ｅ側から軸支持穴４０ｆ側に向けて）挿入する。軸部材４３は、大径部４３ａと中間径部４３ｂの境界に位置する段部がハンドル締結部材４２の平板部４２ａに当接することで、それ以上の挿入が規制される。この挿入規制状態で、中間径部４３ｂが軸穴４２ｅ内に位置し、小径部４３ｃが軸支持穴４０ｆと軸支持穴４１ｃ内に位置し、小径部４３ｃの先端が軸支持穴４０ｆ（支持板部４０ａ）からシート内側に突出する。小径部４３ｃの突出部分をかしめてかしめ部（第１の軸方向保持部、第２の突出部）４３ｄを形成することにより、大径部４３ａとかしめ部４３ｄの間に支持板部４０ａと平板部４１ａと平板部４２ａが挟まれる状態になる。軸支持穴４０ｆと軸支持穴４１ｃは略同径の円形穴であり、小径部４３ｃがほぼガタつきなく挿入される。軸穴４２ｅは軸支持穴４０ｆ及び円弧穴４１ｅよりも大径の円形穴であり、軸穴４２ｅの内周面は中間径部４３ｂの外周面に対して回転可能に接する。
【００３７】
図１３に示すように、円弧穴４１ｅとガイドピン取付穴４２ｆに対してガイドピン（回転制限部材）４４が挿入される。ガイドピン４４は、それぞれが円筒状の外周面を有する頭部（第２の軸方向保持部、第３の突出部）４４ａと中間径部４４ｂと小径部４４ｃが同軸上に並ぶ構成であり、小径部４４ｃを先頭にしてシート内側からシート外側に向けて（すなわち円弧穴４１ｅ側からガイドピン取付穴４２ｆ側に向けて）挿入する。ガイドピン４４は、頭部４４ａと中間径部４４ｂの境界に位置する段部が支持ガイド板４１の平板部４１ａに当接することで、それ以上の挿入が規制される。この挿入規制状態で、中間径部４４ｂが円弧穴４１ｅ内に位置し、小径部４４ｃがガイドピン取付穴４２ｆ内に位置し、小径部４４ｃの先端がガイドピン取付穴４２ｆ（平板部４２ｂ）からシート内側に突出する。小径部４４ｃの突出部分をかしめてかしめ部（第２の軸方向保持部、第４の突出部）４４ｄを形成することにより、頭部４４ａとかしめ部４４ｄの間に平板部４１ａと平板部４２ｂが挟まれる状態になる。小径部４４ｃはガイドピン取付穴４２ｆ内にほぼガタつきなく挿入される。円弧穴４１ｅの幅はガイドピン取付穴４２ｆの直径よりも大きく、円弧穴４１ｅの対向する一対の円弧面に沿って中間径部４４ｂの外周面が移動可能となる。図３に示すように、第１ブラケット４０の脚部４０ｂは円弧穴４１ｅに沿う湾曲した形状の壁面を有しており、円弧穴４１ｅから突出するガイドピン４４の頭部４４ａに対して脚部４０ｂが干渉しない。また、この湾曲形状によって脚部４０ｂの剛性が高くなっている。さらに第１ブラケット４０の脚部４０ｃも湾曲形状を有して剛性が高くなっている。
【００３８】
締結穴４０ｇと締結穴４１ｄに対してかしめピン４５（図２、図５）が挿入される。かしめピン４５は頭部と小径部を有し、締結穴４０ｇと締結穴４１ｄにガタつきなく挿入した小径部の先端をかしめてかしめ部を形成することで、支持板部４０ａと平板部４１ａを締結固定する。支持板部４０ａと平板部４１ａはさらに溶接によって固定される。
【００３９】
図１３に示すように、第１ブラケット４０の台座部４０ｄと台座部４０ｅがロアブラケット１１のシート外側の面に当接し、台座部４０ｄと台座部４０ｅがそれぞれかしめピン４６によってロアブラケット１１と締結固定される。この固定状態で、支持板部４０ａと脚部４０ｂと脚部４０ｃとロアブラケット１１によって囲まれる空間が形成され、支持板部４０ａはロアブラケット１１のシート外側の面に離間して対向する。
【００４０】
以上の構成により、互いに固定された関係の第１ブラケット４０と支持ガイド板４１が、ロアブラケット１１に対して固定的に支持される。ハンドル締結部材４２は、平板部４２ａと平板部４２ｂを支持ガイド板４１の平板部４１ａに当接させた状態で、軸部材４３を中心として回転可能に支持される。ハンドル締結部材４２の回転に伴ってガイドピン４４の中間径部４４ｂが円弧穴４１ｅ内で移動し、中間径部４４ｂが円弧穴４１ｅの端部４１ｅ-１と端部４１ｅ-２に当接することでハンドル締結部材４２の回転が規制される。つまり、ガイドピン４４と円弧穴４１ｅによってハンドル締結部材４２が揺動（回転）する角度範囲が決められる。
【００４１】
ハンドル締結部材４２に対してレリーズハンドル６が固定される。図２に示すように、レリーズハンドル６の一端には、ハンドル締結部材４２の平板部４２ｃに対して当接する平板部６ａが形成され、平板部６ａに２つの締結穴６ｂが形成されている。平板部６ａからシート外側に向けてばね掛け片６ｃが突出している。２つの締結穴６ｂと２つのハンドル締結穴４２ｇが重なる位置関係で平板部６ａを平板部４２ｃに当接させ、各締結穴６ｂ及びハンドル締結穴４２ｇに対してかしめピン４７（図２、図５）を挿入してかしめを行うことにより、レリーズハンドル６とハンドル締結部材４２が締結固定される。従って、レリーズハンドル６とハンドル締結部材４２の結合体が、ロアブラケット１１に固定的に支持される第１ブラケット４０と支持ガイド板４１に対して軸部材４３を介して揺動（回転）可能に支持される。軸部材４３の中心軸が図１に示すレリーズハンドル６の回転中心６ｘ（図１）となる。
【００４２】
軸部材４３の大径部４３ａの外側にトーションばね４８のコイル部が支持される。トーションばね４８はコイル部から突出する一対のばね端部を有し、一方のばね端部がレリーズハンドル６のばね掛け片６ｃに係合し、他方のばね端部が支持ガイド板４１のばね掛け片４１ｂに係合する。トーションばね４８によってレリーズハンドル６を回転付勢する力が付与され、この付勢力はガイドピン４４（中間径部４４ｂ）が円弧穴４１ｅの端部４１ｅ-１に当接する方向（図５、図７、図９及び図１１の時計方向、図６、図８、図１０及び図１２の反時計方向）に作用する。ガイドピン４４が円弧穴４１ｅの端部４１ｅ-１に当接する位置を、レリーズハンドル６の初期位置とする。
【００４３】
ロアブラケット１１のシート外側の面には、オープンプレート２０や第１レバー２１や第２レバー３０を支持する位置よりも下方に、第１ブラケット４０と位置を異ならせて第２ブラケット４９が固定されている。第２ブラケット４９は、平板状の台座部４９ａと、台座部４９ａからシート外側に向けて突出する立壁部４９ｂを有しており、台座部４９ａがロアブラケット１１のシート外側の面に当接して２つのかしめピン５０（図２、図５）によってロアブラケット１１と締結固定される。立壁部４９ｂにはシート前後方向に位置を異ならせてケーブル支持溝４９ｃとケーブル支持溝４９ｄが形成されている。
【００４４】
レリーズハンドル６を操作すると、接続ロッド（接続部材）５５を介してオープンプレート２０に操作力が伝達される。レリーズハンドル６と固定関係にあるハンドル締結部材４２の平板部４２ｄに形成されたロッド取付穴４２ｈに接続ロッド５５の一方の端部５５ａが接続し、オープンプレート２０の円弧穴２０ｃに接続ロッド５５の他方の端部５５ｂが接続している。端部５５ｂは円弧穴２０ｃ内を移動可能であり、レリーズハンドル６の初期位置では端部５５ｂが円弧穴２０ｃの下方の端部付近に位置する。そして、トーションばね４８の付勢力に抗してレリーズハンドル６を初期位置から引き上げ方向（図５の反時計方向、図６の時計方向）に回転させると、端部５５ｂが円弧穴２０ｃの下方の端部に当接して力を伝え、オープンプレート２０をロック位置からロック解除位置へ向けて回転（図５の反時計方向の回転）させる。なお、図５、図７、図９及び図１１では、他の部材を見やすくするために、接続ロッド５５の途中部分を省略して示している。
【００４５】
ウォークイン操作レバー７を操作すると、操作ケーブル５６を介してオープンプレート２０に操作力が伝達される。オープンプレート２０のケーブル接続穴２０ｂに操作ケーブル５６の端部５６ａが接続している。操作ケーブル５６はケーブル接続穴２０ｂから下方に向けて延設され、管状のケーブルガイド５７（図３、図４に一部を示す）内に進退可能に挿通される。ケーブルガイド５７の端部に設けた嵌合部５７ａは、第２ブラケット４９に設けたケーブル支持溝４９ｃに嵌って操作ケーブル５６の延設方向への移動が規制される。図示を省略しているが、操作ケーブル５６は第２ブラケット４９の下方で向きを変えて上方に延び、ウォークイン操作レバー７に接続している。ウォークイン操作レバー７を操作すると、操作ケーブル５６を介してケーブル接続穴２０ｂ付近を下方に引く力が加わり、オープンプレート２０をロック位置からロック解除位置へ向けて回転（図５の反時計方向の回転）させる。操作ケーブル５６の牽引によってオープンプレート２０をロック解除位置に回転させたときには、円弧穴２０ｃ内での接続ロッド５５の端部５５ｂの位置が相対的に変化してオープンプレート２０から接続ロッド５５に対して回転方向の力が伝わらず、レリーズハンドル６は初期位置を維持する。
【００４６】
オープンプレート２０のケーブル接続穴２０ｄに連係ケーブル５８の端部５８ａが接続している。連係ケーブル５８は、車両用シート１の片側に設けたシートリクライニング装置１０と反対側（車両の進行方向に向かって左側）に設けたシートリクライニング装置を連動させるものであり、ケーブル接続穴２０ｄから下方に向けて延設され、管状のケーブルガイド５９（図３、図４に一部を示す）内に進退可能に挿通される。ケーブルガイド５９の端部に設けた嵌合部５９ａは、第１ブラケット４０に設けたケーブル支持溝４０ｉに嵌って連係ケーブル５８の延設方向への移動が規制される。車両用シート１の反対側に設けたリクライニング装置については全体的な図示を省略しているが、オープンプレート２０に対応するオープンプレート７０（図５中に示す）と、リクライニングロック機構１４に対応するリクライニングロック機構７１（図５中に示す）を有している。オープンプレート７０はヒンジピン７２を中心に回転して、リクライニングロック機構７１をロック状態とロック解除状態にさせる。図５に示すように、連係ケーブル５８はケーブルガイド５９の他方の端部に設けた嵌合部５９ｂから出て、連係ケーブル５８の端部５８ｂがオープンプレート７０に設けたケーブル接続部７０ａに接続する。ケーブル接続部７０ａは連係ケーブル５８の端部５８ｂがケーブル延設方向に余裕をもって嵌るスリット形状であり、連係ケーブル５８の撓みを吸収することができる。オープンプレート２０がロック位置とロック解除位置に回転すると、連係ケーブル５８を介してオープンプレート７０が回転し、リクライニングロック機構１４とリクライニングロック機構７１が連動してロック状態とロック解除状態に切り替わる。なお、オープンプレート７０を備える側のシートリクライニング装置はレリーズハンドル６を有していない。
【００４７】
フォールダウン操作レバー８を操作すると、操作ケーブル６０を介して第１レバー２１に操作力が伝達される。第１レバー２１のケーブル接続部２１ｄに操作ケーブル６０の端部６０ａが接続している。ケーブル接続部２１ｄは操作ケーブル６０の端部６０ａがケーブル延設方向に余裕をもって嵌るスリット形状であり、操作ケーブル６０の撓みを吸収することができる。操作ケーブル６０はケーブル接続部２１ｄから下方に向けて延設され、管状のケーブルガイド６１（図３に一部を示す）内に進退可能に挿通される。ケーブルガイド６１の端部に設けた嵌合部６１ａは、第２ブラケット４９に設けたケーブル支持溝４９ｄに嵌って操作ケーブル６０の延設方向への移動が規制される。図示を省略しているが、操作ケーブル６０は第２ブラケット４９の下方で向きを変えて上方に延び、フォールダウン操作レバー８に接続している。第１レバー２１が図７に示す前倒れ制限位置にあるときにフォールダウン操作レバー８を操作すると、操作ケーブル６０を介してケーブル接続部２１ｄ付近を下方に引く力が加わり、第１レバー２１を制限解除位置へ向けて回転（図７の反時計方向の回転）させる。
【００４８】
スライドロック操作ケーブル６２の端部６２ａが第２レバー３０のケーブル接続部３０ｄに接続している。ケーブル接続部３０ｄはスライドロック操作ケーブル６２の端部６２ａがケーブル延設方向に余裕をもって嵌るスリット形状であり、スライドロック操作ケーブル６２の撓みを吸収することができる。スライドロック操作ケーブル６２はケーブル接続部３０ｄから下方に向けて延設され、管状のケーブルガイド６３（図３、図４に一部を示す）内に進退可能に挿通される。ケーブルガイド６３の端部に設けた嵌合部６３ａは、第１ブラケット４０に設けたケーブル支持溝４０ｊに嵌ってスライドロック操作ケーブル６２の延設方向への移動が規制される。スライドロック操作ケーブル６２はスライドロック機構３の構成要素であるロック解除部材（図示略）に接続する。第２レバー３０が保持位置（図５、図９）やオーバー保持位置（図１１）にあるときにはロック解除部材を操作せずにスライドロック状態を維持させ、第２レバー３０が保持解除位置（図７）に回転するとスライドロック操作ケーブル６２の牽引力がロック解除部材に伝達されて、ロック解除部材によるスライドロックの解除動作（スライド許容状態への移行）が行われる。
【００４９】
図３と図４に示すように、オープンプレート２０においてケーブル接続穴２０ｂを有する部分と、第１レバー２１のケーブル接続部２１ｄは、ロアブラケット１１に対する高さ方向（車両用シート１の幅方向）の位置が互いに異なっており、ケーブル接続穴２０ｂがロアブラケット１１のベース面から遠い位置（高い位置）にあり、ケーブル接続部２１ｄがロアブラケット１１のベース面に近い位置（低い位置）にある。これに応じて操作ケーブル５６の端部５６ａと操作ケーブル６０の端部６０ａは互いに高さ方向の位置が異なる。
【００５０】
図３と図２１に示すように、第２ブラケット４９のケーブル支持溝４９ｃとケーブル支持溝４９ｄはそれぞれ高さ方向に延びる溝であり、台座部４９ａに近い立壁部４９ｂの基端側（高さ方向の低い側）の端部が塞がれて底部となり、台座部４９ａから遠い立壁部４９ｂの先端側（高さ方向の高い側）の端部が開放されている。ケーブル支持溝４９ｃとケーブル支持溝４９ｄは、高さ方向の位置を異ならせて立壁部４９ｂ上に並んでおり、ケーブル支持溝４９ｃが台座部４９ａから遠い位置（高い位置）にあり、ケーブル接続部２１ｄが台座部４９ａに近い位置（低い位置）にある。
【００５１】
従って、ケーブル接続穴２０ｂからケーブル支持溝４９ｃ（ケーブル支持溝４９ｃに嵌る嵌合部５７ａ）に延びる操作ケーブル５６と、ケーブル接続部２１ｄからケーブル支持溝４９ｄ（ケーブル支持溝４９ｄに嵌る嵌合部６１ａ）に延びる操作ケーブル６０は、ケーブル接続穴２０ｂとケーブル接続部２１ｄでの高さ方向の位置関係（高低関係）を保ったまま第２ブラケット４９に導かれ、高さ方向において互いに交差せずに配設される。
【００５２】
また、図３と図４に示すように、オープンプレート２０においてケーブル接続穴２０ｄを有する部分と、第２レバー３０のケーブル接続部３０ｄは、ロアブラケット１１に対する高さ方向の位置が互いに異なっており、ケーブル接続穴２０ｄがロアブラケット１１のベース面から遠い位置（高い位置）にあり、ケーブル接続部３０ｄがロアブラケット１１のベース面に近い位置（低い位置）にある。これに応じて連係ケーブル５８の端部５８ａとスライドロック操作ケーブル６２の端部６２ａは互いに高さ方向の位置が異なる。
【００５３】
図３と図１８に示すように、第１ブラケット４０のケーブル支持溝４０ｉとケーブル支持溝４０ｊはそれぞれ高さ方向に対して略垂直な方向に延びる溝であり、脚部４０ｂに近い側板４０ｈの基端側の端部が塞がれて底部となり、脚部４０ｂから遠い側板４０ｈの先端側の端部が開放されている。ケーブル支持溝４０ｉとケーブル支持溝４０ｊは、高さ方向の位置を異ならせて側板４０ｈ上に並んでおり、ケーブル支持溝４０ｉが台座部４０ｄから遠い位置（高い位置）にあり、ケーブル支持溝４０ｊが台座部４０ｄに近い位置（低い位置）にある。
【００５４】
従って、ケーブル接続穴２０ｄからケーブル支持溝４０ｉ（ケーブル支持溝４０ｉに嵌る嵌合部５９ａ）に延びる連係ケーブル５８と、ケーブル接続部３０ｄからケーブル支持溝４０ｊ（ケーブル支持溝４０ｊに嵌る嵌合部６３ａ）に延びるスライドロック操作ケーブル６２は、ケーブル接続穴２０ｄとケーブル接続部３０ｄでの高さ方向の位置関係（高低関係）を保ったまま第１ブラケット４０に導かれ、高さ方向において互いに交差せずに配設される。
【００５５】
第１ブラケット４０と第２ブラケット４９による支持を受ける各２本のケーブルの高さ方向の位置関係を図２２に模式的に示した。操作ケーブル５６と操作ケーブル６０については、ケーブル接続穴２０ｂとケーブル接続部２１ｄに支持される端部５６ａと端部６０ａの高さ方向の間隔よりも、ケーブル支持溝４９ｃとケーブル支持溝４９ｄに支持される嵌合部５７ａと嵌合部６１ａの高さ方向の間隔の方が大きい。そのため操作ケーブル５６と操作ケーブル６０は、ケーブル接続穴２０ｂとケーブル接続部２１ｄの側からケーブル支持溝４９ｃとケーブル支持溝４９ｄの側に進むにつれて高さ方向の間隔を徐々に大きくしている。連係ケーブル５８とスライドロック操作ケーブル６２についても同様に、ケーブル接続穴２０ｄとケーブル接続部３０ｄに支持される端部５８ａと端部６２ａの高さ方向の間隔よりも、ケーブル支持溝４０ｉとケーブル支持溝４０ｊに支持される嵌合部５９ａと嵌合部６３ａの高さ方向の間隔の方が大きい。そのため連係ケーブル５８とスライドロック操作ケーブル６２は、ケーブル接続穴２０ｄとケーブル接続部３０ｄの側からケーブル支持溝４０ｉとケーブル支持溝４０ｊの側に進むにつれて高さ方向の間隔を徐々に大きくしている。
【００５６】
２本のケーブルの高さ方向の位置関係は、図２２とは異なり図２３や図２４のように設定することも可能である。図２３は、操作ケーブル５６（連係ケーブル５８）と操作ケーブル６０（スライドロック操作ケーブル６２）が、ケーブル接続穴２０ｂ（ケーブル接続穴２０ｄ）とケーブル接続部２１ｄ（ケーブル接続部３０ｄ）の側からケーブル支持溝４９ｃ（ケーブル支持溝４０ｉ）とケーブル支持溝４９ｄ（ケーブル支持溝４０ｊ）の側に進むにつれて、高さ方向の間隔を徐々に小さくする形態である。図２４は、操作ケーブル５６（連係ケーブル５８）と操作ケーブル６０（スライドロック操作ケーブル６２）が、ケーブル接続穴２０ｂ（ケーブル接続穴２０ｄ）とケーブル接続部２１ｄ（ケーブル接続部３０ｄ）からケーブル支持溝４９ｃ（ケーブル支持溝４０ｉ）とケーブル支持溝４９ｄ（ケーブル支持溝４０ｊ）に至るまで、高さ方向の間隔を略一定としている形態である。
【００５７】
以上のように構成したシートリクライニング装置１０の動作を説明する。図５と図６は、シートバック５がリクライニング範囲Ｒ（図１の初段ロック位置５Ａに近い角度）にある着座状態のシートリクライニング装置１０を示している。このとき、レリーズハンドル６はトーションばね４８の付勢力によって初期位置に保持され、リクライニングロック機構１４（７１）がアッパブラケット１２（シートバック５）の角度を固定する（傾動を規制する）ロック状態になっている。リクライニングロック機構１４（７１）のロック状態に応じて、オープンプレート２０（７０）はロック位置にある。第２レバー３０とキャンセルレバー３１はそれぞれ、トーションばね３３の付勢力で保持位置と中立位置に保持される。トーションばね３３の一対のばね端部に挟まれる第２レバー３０のばね掛け部３０ｅとロアブラケット１１の切り起こし片１１ｅが、互いに重なる位置関係にある。保持位置にある第２レバー３０のフック部３０ｃが連係ピン２３の移動軌跡上に位置することによって、引張ばね２６の付勢力に抗して第１レバー２１が制限解除位置に保持される。第１レバー２１を付勢する引張ばね２６の付勢力よりも第２レバー３０を付勢するトーションばね３３の付勢力の方が強く設定されているため、第２レバー３０による制限解除位置への第１レバー２１の保持が維持される。また、第２レバー３０が保持位置にあることにより、スライドロック操作ケーブル６２を経由したスライドロック機構３のロック解除操作が行われていない。図６に示すように、アッパブラケット１２に設けた制御突起２５はキャンセルレバー３１とストッパピン２４から離れており、車両前方側から制御突起２５、キャンセルレバー３１、ストッパピン２４の順に位置している。
【００５８】
図５と図６の着座状態で、レリーズハンドル６を初期位置からトーションばね４８の付勢力に抗して引き上げ方向（図５の反時計方向、図６の時計方向）に回転操作すると、接続ロッド５５を介してオープンプレート２０がロック位置からロック解除位置へ回転（図５の反時計方向の回転）し、リクライニングロック機構１４がロック解除状態になる。また、連係ケーブル５８によってオープンプレート７０が連動してリクライニングロック機構７１がロック解除状態になる。レリーズハンドル６は、ガイドピン４４の中間径部４４ｂが円弧穴４１ｅの端部４１ｅ-２に当接する位置（図７）まで引き上げ方向に回転させることができる。ここで、人力など外部の力によってリクライニング範囲Ｒ内でシートバック５の角度を変化させてからレリーズハンドル６の操作を解除すると、リクライニングロック機構１４がロック状態に戻ってシートバック５を変更後の角度に維持させることができる。
【００５９】
オープンプレート２０（７０）がロック位置からロック解除位置に回転してリクライニングロック機構１４（７１）がロック解除状態になったときに、人力など外部の力によってシートバック５を保持していなければ、シートバック５が前倒れ付勢ばね１６の付勢力によりリクライニング範囲Ｒよりも前方のアンロック範囲Ｕに倒れつつ、スライドロック機構３によるスライドロックが解除される、いわゆるウォークイン状態になる。
【００６０】
ウォークイン状態にするときのオープンプレート２０のロック解除位置への回転は、レリーズハンドル６とウォークイン操作レバー７のいずれの操作で行わせることも可能である。レリーズハンドル６を操作した場合は、前述のように接続ロッド５５を介してオープンプレート２０に力が伝わる。ウォークイン操作レバー７を操作した場合は、操作ケーブル５６を介してオープンプレート２０に力が伝わる。いずれの場合も、オープンプレート２０がロック位置からロック解除位置へ回転してリクライニングロック機構１４がロック解除状態になり、前倒れ付勢ばね１６の付勢力によってアッパブラケット１２がロアブラケット１１に対して前方へ向けて傾動する。
【００６１】
アッパブラケット１２がアンロック範囲Ｕで前方に向けて所定量傾動すると、制御突起２５がキャンセルレバー３１の被押圧突起３１ｃに接近して当接する。このとき制御突起２５の第１押圧面２５ａが、キャンセルレバー３１の側面３１ｄ（先端湾曲面３１ｆに近い箇所）に当接して、アッパブラケット１２の回転方向の力がキャンセルレバー３１に伝わるようになる。トーションばね３３がキャンセルレバー３１を中立位置に付勢する力よりも、前倒れ付勢ばね１６がアッパブラケット１２に及ぼす前倒れ方向の付勢力の方が大きく設定されており、トーションばね３３の付勢力に抗して制御突起２５がキャンセルレバー３１を押圧して、キャンセルレバー３１を図６の中立位置から図８の第１の空振り位置へ向けて回転（図６の時計方向の回転）させる。
【００６２】
キャンセルレバー３１が中立位置から第１の空振り位置に回転すると、キャンセルレバー３１と一体的に回転する第２レバー３０が、図５の保持位置から図７の保持解除位置へ回転（図５の反時計方向の回転）する。図７と図８に示すように、このとき第２レバー３０のばね掛け部３０ｅがトーションばね３３の片方のばね端部を押圧移動させて、トーションばね３３の付勢力がチャージされる。第２レバー３０が保持解除位置に回転すると、フック部３０ｃが連係ピン２３の移動軌跡上から退避して（凹部３０ｆから連係ピン２３が離脱して）第１レバー２１に対する回転規制が解除され、第１レバー２１が引張ばね２６の付勢力によって図５の制限解除位置から図７の前倒れ制限位置へ回転（図５の時計方向の回転）する。第１レバー２１が前倒れ制限位置に達すると、図８に示すようにストッパピン２４が制御突起２５の移動軌跡上に位置し、ストッパピン２４に対して制御突起２５の第１押圧面２５ａが当接することで、アッパブラケット１２の前方への傾動が規制される。このときのシートバック５の角度位置が図１に示す中間停止位置５Ｂである。
【００６３】
ストッパピン２４によってアッパブラケット１２を図７及び図８に示す位置で確実に停止させるためには、制御突起２５がロアブラケット１１の円弧穴１１ｃと重なる角度位置を通過する前に第１レバー２１が前倒れ制限位置に達するように、動作のタイミングを設定する必要がある。図５に示すように、第１レバー２１が制限解除位置にあり第２レバー３０が保持位置にある状態で、連係ピン２３が当接縁部３０ｇに当接している箇所からフック部３０ｃの先端まで所定の長さが確保されており、キャンセルレバー３１が制御突起２５による押圧を受けてからフック部３０ｃによる連係ピン２３の保持が解除されてストッパピン２４が制御突起２５の移動軌跡上に進出する（第１レバー２１が前倒れ制限位置に達する）までに時間差がある。フック部３０ｃの当該部分の長さを短くすると、第１レバー２１が前倒れ制限位置に向けて回転を開始するまでのタイミングが早くなる。一方、フック部３０ｃを短くし過ぎると、図５の保持状態において各部品間の精度誤差や外部からの衝撃などが原因で連係ピン２３が外れるリスクが高くなる。本実施形態のフック部３０ｃの長さと角度は、連係ピン２３のイレギュラーな離脱を防ぎながら遅滞のない好適なタイミングで第１レバー２１を前倒れ制限位置に回転させるものになっている。
【００６４】
また、第２レバー３０が保持位置から保持解除位置に回転する際に、スライドロック操作ケーブル６２が牽引されてスライドロック機構３のスライドロックが解除される。制御突起２５の第１押圧面２５ａがストッパピン２４に当接するアッパブラケット１２の角度位置（シートバック５の中間停止位置５Ｂ）では、図８に示すように、制御突起２５の周縁湾曲面２５ｃに対して被押圧突起３１ｃの先端付近（側面３１ｄと先端湾曲面３１ｆの境界付近）が当接して、キャンセルレバー３１は中立位置への復帰が制限されて第１の空振り位置に保持される。そのため、第２レバー３０が保持解除位置に保持され、スライドロック操作ケーブル６２が牽引された状態が維持される。
【００６５】
このようにシートバック５がリクライニング範囲Ｒよりも前方のアンロック範囲Ｕに傾動すると共にスライドロックが解除されることにより、車両用シート１の後方スペース（後部座席）への乗降が容易なウォークイン状態となる。車両用シート１を前方に向けて付勢するスライド用ばねは、スライドロックの解除に伴って車両用シート１を自動的に前方へスライドさせる強さに設定してもよいし、車両用シート１を手動で前方へスライドさせる際のアシストとなる程度（スライド用ばねの付勢力だけでは車両用シート１が前方へスライドしない程度）の強さに設定してもよい。
【００６６】
レリーズハンドル６やウォークイン操作レバー７の操作を解除しても図７と図８のウォークイン状態は維持される。レリーズハンドル６の引き上げ操作を解除すると、トーションばね４８の付勢力によってレリーズハンドル６が図５の初期位置に戻る。ウォークイン操作レバー７の操作を解除すると操作ケーブル５６が弛緩した状態になる。これに応じてリクライニングロック機構１４がオープンプレート２０を図７の反時計方向に回転させながらロック状態に戻る方向に動作する。但し、リクライニングロック機構１４には、シートバック５がアンロック範囲Ｕにあるときにロック部材の外歯とラチェットプレート１４ｂの内歯の噛合を規制する噛合規制部（図示略）が設けられているため、ウォークイン状態ではリクライニングロック機構１４によるロックは行われない。
【００６７】
図７と図８のウォークイン状態をキャンセルして着座状態に戻すときには、シートバック５を中間保持位置５Ｂから引き起こす。シートバック５の引き起こしに伴うアッパブラケット１２の傾動によって制御突起２５がキャンセルレバー３１から離れる（当接関係が解除される）ので、トーションばね３３の付勢力によって第２レバー３０が保持解除位置（図７）から保持位置（図５）に戻ると共にキャンセルレバー３１が第１の空振り位置（図８）から中立位置（図６）に戻る。第２レバー３０が保持位置に戻る際にスライドロック操作ケーブル６２の牽引が解除されて、スライドロック機構３がロック状態に戻る。また、第２レバー３０が保持位置に戻る際にフック部３０ｃの当接縁部３０ｇが連係ピン２３に当接して、連係ピン２３を凹部３０ｆ内に引き込みながら第１レバー２１を前倒れ制限位置（図７）から制限解除位置（図５）に回転させる。そして、シートバック５が初段ロック位置５Ａまで引き起こされると、リクライニングロック機構１４がロック状態に戻ってシートバック５の角度が固定され、シートリクライニング装置１０が図５と図６に示す状態に戻る。
【００６８】
図７と図８に示すウォークイン状態でフォールダウン操作レバー８を操作すると、操作ケーブル６０が牽引されて第１レバー２１が前倒れ制限位置から制限解除位置へ回転（図７の反時計方向の回転）する。すると、第１レバー２１上のストッパピン２４がアッパブラケット１２の制御突起２５と当接する位置から下方に退避して、アッパブラケット１２がストッパピン２４に制限されずにさらに前方へ傾動可能になる。これにより、シートバック５を中間停止位置５Ｂよりも前倒れさせることができる。
【００６９】
シートバック５を図１のフォールダウン位置５Ｃまで倒すと、シートリクライニング装置１０は図９と図１０に示すフォールダウン状態になる。図１０に示すように、中間停止位置５Ｂからシートバック５が前方に傾動した結果、アッパブラケット１２の制御突起２５がキャンセルレバー３１の被押圧突起３１ｃを押圧する位置を通り過ぎており、制御突起２５による押圧が解除されたキャンセルレバー３１がトーションばね３３の付勢力によって第１の空振り位置から中立位置に戻っている。制御突起２５がキャンセルレバー３１の被押圧突起３１ｃとの当接位置（図８）から図１０の位置に移動する際に、制御突起２５側の周縁湾曲面２５ｃとキャンセルレバー３１側の先端湾曲面３１ｆ付近が接するので、制御突起２５がキャンセルレバー３１をスムーズに乗り越えることができる。
【００７０】
また、図９に示すように、制御突起２５の通過に伴って第２レバー３０がトーションばね３３の付勢力によって保持解除位置から保持位置に戻り、フック部３０ｃによって第１レバー２１を制限解除位置に保持する。さらに、第２レバー３０が保持位置に戻ることによって、スライドロック操作ケーブル６２の牽引状態が解除されてスライドロック機構３がスライドロック状態になる。従って、シートバック５をフォールダウン位置５Ｃにしたときには車両用シート１の前後方向の位置が固定される。
【００７１】
シートバック５をフォールダウン位置５Ｃから引き起こす際には、アッパブラケット１２の制御突起２５は、前倒し時とは逆に、ロアブラケット１１の円弧穴１１ｃと重なる位置を先に通過してからキャンセルレバー３１に接近する。ここで、第１レバー２１は制限解除位置に保持されているので、アッパブラケット１２の制御突起２５がストッパピン２４によって妨げられることなく円弧穴１１ｃと重なる位置を通過することができる。なお、図９と図１０に示すように、連係ピン２３がフック部３０ｃの当接縁部３０ｇに当接する状態でストッパピン２４と円弧穴１１ｃの下端との間には隙間があり、この隙間分の可動域が第１レバー２１の制限解除位置に付与されている。そのため、制御突起２５が円弧穴１１ｃと重なる位置を通過するときに、周縁湾曲面２５ｃがストッパピン２４に当接して下方へ押圧しながら（第１レバー２１を制限解除位置内でわずかに回転させながら）移動することが可能である。また、制御突起２５の第２押圧面２５ｂに一定の傾斜角が設けられていることにより、周縁湾曲面２５ｃではなく第２押圧面２５ｂがストッパピン２４に当接した場合でも、制御突起２５がストッパピン２４を下方に押圧することが可能である。つまり、フォールダウン位置５Ｃからのシートバック５の引き起こし動作に際しては、ストッパピン２４に対して制御突起２５が当接してもシートバック５の傾動は妨げられない。
【００７２】
図１０に示すように、シートバック５のフォールダウン位置５Ｃではキャンセルレバー３１が中立位置にあるため、フォールダウン位置５Ｃからのシートバック５の引き起こし動作によってアッパブラケット１２が傾動すると、制御突起２５が被押圧突起３１ｃに当接する。より詳しくは、制御突起２５の第２押圧面２５ｂがキャンセルレバー３１の被押圧突起３１ｃの側面３１ｅに当接する。この状態でアッパブラケット１２の引き起こし方向の傾動を継続すると、トーションばね３３の付勢力に抗してキャンセルレバー３１が中立位置から図１０の反時計方向に押圧されて、図１２に示す第２の空振り位置に回転する。
【００７３】
キャンセルレバー３１の第２の空振り位置への回転に伴って、第２レバー３０が保持位置から図１１に示すオーバー保持位置に回転する。前述のように、第１レバー２１が制限解除位置にあり第２レバー３０が保持位置にある状態（図５、図９）で、連係ピン２３が当接縁部３０ｇに当接している箇所からフック部３０ｃの先端まで所定の長さが確保されているが、この状態ではさらに、連係ピン２３が当接縁部３０ｇに当接している箇所からフック部３０ｃの基端（凹部３０ｆの最奥部）まで所定の長さが確保されている。別言すれば、連係ピン２３がフック部３０ｃ（当接縁部３０ｇ）の長手方向の中央付近に当接している。そして、第２レバー３０が保持位置（図５、図９）からオーバー保持位置（図１１）に回転すると、連係ピン２３が当接縁部３０ｇに当接する状態を維持しながら、凹部３０ｆの最奥部付近に位置を変化させる。このように第２レバー３０は、保持位置（図５、図９）からオーバー保持位置（図１１）まで回転する間に当接縁部３０ｇと連係ピン２３の当接を維持する形状に設定されており、第２レバー３０のオーバー保持位置で第１レバー２１は引き続き制限解除位置に保持される。また、第２レバー３０のオーバー保持位置への回転ではスライドロック操作ケーブル６２の牽引が行われないため、スライドロック機構３のスライドロック状態が維持される。図１１と図１２に示すように、第２レバー３０がオーバー保持位置に回転すると、ばね掛け部３０ｅがトーションばね３３の片方のばね端部を押圧移動させて、トーションばね３３の付勢力がチャージされる。
【００７４】
図１２は、第２の空振り位置にあるキャンセルレバー３１の被押圧突起３１ｃの先端湾曲面３１ｆに対して制御突起２５の第１押圧面２５ａと周縁湾曲面２５ｃの境界付近が当接した状態を示しており、この状態よりもアッパブラケット１２が引き起こし方向に傾動すると、制御突起２５が被押圧突起３１ｃを乗り越えてキャンセルレバー３１から離れる。すると、トーションばね３３の付勢力によってキャンセルレバー３１が中立位置に戻り、第２レバー３０が保持位置に戻る。さらにシートバック５が初段ロック位置５Ａまで引き起こされると、リクライニングロック機構１４がロック状態に戻ってシートバック５の角度が固定され、シートリクライニング装置１０が図５と図６に示す状態に戻る。
【００７５】
以上のようにシートリクライニング装置１０では、図５と図６に示す着座状態から、図７と図８に示すウォークイン状態と、図９と図１０に示すフォールダウン状態にすることができる。第２レバー３０は、シートバック５がリクライニング範囲Ｒからアンロック範囲Ｕの中間停止位置５Ｂに達する直前で制限解除位置からの前倒れ制限位置への第１レバー２１の回転を許し、それ以外の状態では第１レバー２１を制限解除位置に保持する。そのため、第１レバー２１を前倒れ制限位置から制限解除位置へ回転させてウォークイン状態における中間停止位置５Ｂよりも前方（例えばフォールダウン位置５Ｃ）にシートバック５を倒した後は、シートバック５の引き起こし動作中に第１レバー２１が前倒れ制限位置に戻ることがない。例えば、フォールダウン位置５Ｃから初段ロック位置５Ａまで引き起こす途中でシートバック５から手を離した場合には、シートバック５はストッパピン２４によって中間停止位置５Ｂに停止されることなくフォールダウン位置５Ｃに戻ることができる。従って、フォールダウン操作レバー８を操作してウォークイン状態（図７、図８）からフォールダウン状態（図９、図１０）へ移行させる際に、シートクッション４とシートバック５の間の異物挟み込みなどに対応するべくシートバック５を途中まで一旦引き起こす動作を行った場合、その後にシートバック５を中間停止位置５Ｂに停めることなく（フォールダウン操作レバー８を再度操作することなく）フォールダウン位置５Ｃにさせることができ、操作の煩雑さを防ぐことができる。
【００７６】
シートリクライニング装置１０において、操作部材であるレリーズハンドル６の支持構造は、ロアブラケット１１に対して固定的に支持される第１ブラケット４０と支持ガイド板４１の結合体（以下、支持部材と呼ぶ）に対して、レリーズハンドル６とハンドル締結部材４２の結合体（以下、リクライニング操作部材と呼ぶ）が回転可能に支持されるものになっている。支持部材に対してリクライニング操作部材を回転可能に支持する軸支機構を、軸部材４３（特に中間径部４３ｂ）と軸穴４２ｅが構成し、リクライニング操作部材の回転方向の移動端を決める回転制限機構を、ガイドピン４４（特に中間径部４４ｂ）と円弧穴４１ｅ（特に端部４１ｅ-１，端部４１ｅ-２）が構成している。そして、軸支機構を構成する軸部材４３と回転制限機構を構成するガイドピン４４のそれぞれにおいて、支持部材に対してリクライニング操作部材を回転軸（軸部材４３の軸線）に沿う方向に移動規制する軸方向保持部を備えている。
【００７７】
図１３に示すように、軸支機構においては、それぞれが平板状をなす第１ブラケット４０の支持板部４０ａと支持ガイド板４１の平板部４１ａとハンドル締結部材４２の平板部４２ａが積層され、この３層の積層部分を軸部材４３が貫通している。軸部材４３は、平板部４２ａに形成した軸穴４２ｅからシート外側に向けて大径部４３ａが突出し、支持板部４０ａと平板部４１ａに形成した軸支持穴４０ｆ，４１ｃからシート内側に向けて小径部４３ｃが突出する。そして、シート外側に突出した大径部４３ａの端面（大径部４３ａと中間径部４３ｂの境界に位置する段部）が平板部４２ａに当接し、シート内側に突出した小径部４３ｃの先端に形成したかしめ部４３ｄが支持板部４０ａに当接し、大径部４３ａとかしめ部４３ｄによって支持板部４０ａと平板部４１ａと平板部４２ａを挟んでいる。この構成により、支持部材側の支持板部４０ａ及び平板部４１ａに対してリクライニング操作部材側の平板部４２ａが、リクライニング操作部材の回転軸（軸部材４３の軸線）に沿う方向（支持板部４０ａと平板部４１ａと平板部４２ａの板厚方向）にガタつきを生じることなく安定して支持される。
【００７８】
図１３に示すように、回転制限機構においては、それぞれが平板状をなす支持ガイド板４１の平板部４１ａとハンドル締結部材４２の平板部４２ｂが積層され、この２層の積層部分をガイドピン４４が貫通している。ガイドピン４４は、平板部４１ａに形成した円弧穴４１ｅからシート内側に向けて頭部４４ａが突出し、平板部４２ｂに形成したガイドピン取付穴４２ｆからシート外側に向けて小径部４４ｃが突出する。そして、シート内側に突出した頭部４４ａの端面（頭部４４ａと中間径部４４ｂの境界に位置する段部）が平板部４１ａに当接し、シート外側に突出した小径部４４ｃの先端に形成したかしめ部４４ｄが平板部４２ｂに当接し、頭部４４ａとかしめ部４４ｄによって平板部４１ａと平板部４２ｂを挟んでいる。この構成により、支持部材側の平板部４１ａに対してリクライニング操作部材側の平板部４２ｂが、リクライニング操作部材の回転軸（軸部材４３の軸線）に沿う方向（平板部４１ａと平板部４２ｂの板厚方向）にガタつきを生じることなく安定して支持される。
【００７９】
このように、支持部材に対してリクライニング操作部材を回転軸に沿う方向に移動規制して保持する構造を、軸支機構を構成する軸部材４３と、回転制限機構を構成するガイドピン４４の両方に備えることによって、リクライニング操作部材の支持強度と安定性が向上する。その結果、レリーズハンドル６におけるガタつきや異音が生じにくい高い品質のリクライニング操作部材を得ることができる。
【００８０】
軸支機構においては、軸部材４３のうちシート内側に突出する側にかしめ部４３ｄを形成し、支持部材を構成する支持板部４０ａに対してかしめ部４３ｄが当接している。一方、回転制限機構においては、ガイドピン４４のうちシート外側に突出する側にかしめ部４４ｄを形成し、リクライニング操作部材を構成する平板部４２ｂに対してかしめ部４４ｄが当接する。このように軸部材４３とガイドピン４４におけるかしめ部４３ｄ，４４ｄを互いに逆向きに設けることで、より優れた支持精度と安定性を得ることができる。詳細には、軸部材４３とガイドピン４４はいずれも、かしめ部４３ｄ，４４ｄよりもその逆側の端部に位置する大径部４３ａと頭部４４ａの方が、径が大きく高強度であると共に、当接部分の面精度を予め設定しやすい。そのため、シート外側に大径部４３ａを配し、シート内側に頭部４４ａを配することで、リクライニング操作部材と支持部材を両側から精度良く挟持して、図１３に示す断面に沿って作用する捻れ方向の負荷への耐性を高めることができる。
【００８１】
本実施形態のシートリクライニング装置１０は、ウォークイン動作とフォールダウン動作を含む複雑な動作を行うため、ロアブラケット１１上に部品が密に配置されている。ここで、リクライニング操作部材をレリーズハンドル６とハンドル締結部材４２の２部材で構成し、支持部材を第１ブラケット４０と支持ガイド板４１の２部材で構成したことにより、レリーズハンドル６の支持構造のレイアウトの自由度が高くなる。例えば、図５、図７、図９及び図１１に示すように、シートリクライニング装置１０を側方から平面視した状態で、ガイドピン４４や円弧穴４１ｅや接続ロッド５５の端部５５ａが、連係ケーブル５８とスライドロック操作ケーブル６２の軌跡上に位置している。しかし図３に示すように、第１ブラケット４０を介して支持ガイド板４１とハンドル締結部材４２とレリーズハンドル６をロアブラケット１１から離間して位置させることで、連係ケーブル５８やスライドロック操作ケーブル６２との干渉を防ぐことができる。図１８に示すように、第１ブラケット４０の脚部４０ｂ，４０ｃはそれぞれ湾曲部分を含んだ剛性の高い形状であり、レイアウトの自由度を高めながら支持強度に優れている。
【００８２】
第１ブラケット４０は、以上のような支持ガイド板４１やハンドル締結部材４２に対するスペーサーとしての機能に加えて、ケーブル支持溝４０ｉ，４０ｊによってケーブルガイド５９，６３の嵌合部５９ａ，６３ａを支持する機能も備えている。なお、連係ケーブル５８やスライドロック操作ケーブル６２の配策の方向によっては、図示の構成と異なり、第１ブラケット４０によって確保されるスペースの内側（支持板部４０ａと脚部４０ｂ，４０ｃとロアブラケット１１によって囲まれる空間内）に、各ケーブル５８，６２を通すことも可能である。
【００８３】
図１９に示すように、支持ガイド板４１に形成した円弧穴４１ｅの各端部４１ｅ-１，４１ｅ-２は、軸支持穴４１ｃを中心とする半径方向に延びる直線（平面）形状である。この円弧穴４１ｅの端面形状は、ガイドピン４４が当接する位置の精度管理が容易であり、図５ないし図１２に示すレリーズハンドル６の回転操作の移動量を正確に定めてシートリクライニング装置１０の動作精度を向上させることができる。また、各端部４１ｅ-１，４１ｅ-２がガイドピン４４の移動軌跡（軸部材４３を中心とする回転軌跡）に正対する面であるため、ガイドピン４４を各端部４１ｅ-１，４１ｅ-２に当接させる際に余分な分力が生じにくいという利点もある。
【００８４】
図２０に示すように、ハンドル締結部材４２では、軸部材４３に軸支される軸穴４２ｅを中心とする半径方向において、接続ロッド５５が接続するロッド取付穴４２ｈが、ガイドピン取付穴４２ｆよりも軸穴４２ｅに近い位置に配置されている。この配置により、接続ロッド５５を介してオープンプレート２０を回転動作させる際に、レリーズハンドル６の単位回転角あたりの操作力量を小さくする効果が得られる。また、図５や図７に示すように、ハンドル締結部材４２の当該位置（ガイドピン取付穴４２ｆ）に接続ロッド５５を接続することにより、ヒンジピン１５（オープンプレート２０の回転中心）と軸部材４３（ハンドル締結部材４２の回転中心）を結ぶ直線に対して、接続ロッド５５の両端部５５ａ，５５ｂを結ぶ直線が平行に近い関係になる。そのため、接続ロッド５５を介してレリーズハンドル６からオープンプレート２０に回転操作力を伝える際に力のロスを少なくして効率の良い動作を実現できる
【００８５】
以上、図示実施形態に基づき本発明を説明したが、本発明は図示した実施形態に限定されるものではなく、発明の要旨を逸脱しない限りにおいて改良や改変が可能である。
【００８６】
例えば、前述のように実施形態では主にレイアウト面の要求から、レリーズハンドル６とハンドル締結部材４２を結合してリクライニング操作部材を構成し、第１ブラケット４０と支持ガイド板４１を結合して支持部材を構成しているが、リクライニング操作部材と支持部材をそれぞれ一つの部材から構成することも可能である。あるいは、リクライニング操作部材や支持部材を３つ以上の部材の結合体にすることも可能である。
【００８７】
実施形態では、軸部材４３とガイドピン４４にかしめ部４３ｄ，４４ｄを形成してリクライニング操作部材と支持部材を回転軸（軸部材４３の軸線）に沿う方向に保持しているが、かしめ以外による保持構造を用いることもできる。一例として、かしめ部に代えて、ナットのような螺合部材やスナップリングのような嵌合部材を、軸部材４３の小径部４３ｃやガイドピン４４の小径部４４ｃに取り付ける構成を採用することも可能である。
【００８８】
実施形態のシートリクライニング装置１０は、スライドロック機構３と連動してウォークイン状態を設定可能なタイプであるが、スライドロック機構と連動しないタイプのシートリクライニング装置にも本発明を適用可能である。
【符号の説明】
【００８９】
１  車両用シート
２  シートトラック
３  スライドロック機構
４  シートクッション
５  シートバック５
５Ａ  シートバックの初段ロック位置
５Ｂ  シートバックの中間保持位置
５Ｃ  シートバックのフォールダウン位置
６  レリーズハンドル（リクライニング操作部材、ハンドル部材）
７  ウォークイン操作レバー
８  フォールダウン操作レバー
１０  シートリクライニング装置
１１  ロアブラケット
１２  アッパブラケット
１３  支持プレート
１４  リクライニングロック機構
１５  ヒンジピン
１６  前倒れ付勢ばね
２０  オープンプレート（駆動部材）
２１  第１レバー
２２  軸部材
２２ａ  円形断面部
２３  連係ピン
２４  ストッパピン
２５  制御突起
２５ａ  第１押圧面
２５ｂ  第２押圧面
２５ｃ  周縁湾曲面
２６  引張ばね
２７  ばね掛け片
３０  第２レバー
３０ｃ  フック部
３０ｆ  凹部
３０ｇ  当接縁部
３１  キャンセルレバー
３１ｃ  被押圧突起
３２  軸部材
３３  トーションばね
４０  第１ブラケット（支持部材）
４０ａ  支持板部
４０ｂ  ４０ｃ  脚部
４０ｄ  ４０ｅ  台座部
４０ｆ  軸支持穴
４０ｇ  締結穴
４０ｈ  側板
４０ｉ  ４０ｊ  ケーブル支持溝
４１  支持ガイド板（支持部材）
４１ａ  平板部
４１ｂ  ばね掛け片
４１ｃ  軸支持穴
４１ｄ  締結穴
４１ｅ  円弧穴（長穴）
４１ｅ-１  ４１ｅ-２  端部
４２  ハンドル締結部材（リクライニング操作部材、ベース部材）
４２ａ  平板部
４２ｂ  平板部
４２ｃ  平板部
４２ｄ  平板部
４２ｅ  軸穴
４２ｆ  ガイドピン取付穴（回転制限部材支持穴）
４２ｇ  ハンドル締結穴
４２ｈ  ロッド取付穴
４３  軸部材
４３ａ  大径部（第１の軸方向保持部、第１の突出部）
４３ｂ  中間径部
４３ｃ  小径部
４３ｄ  かしめ部（第１の軸方向保持部、第２の突出部）
４４  ガイドピン（回転制限部材）
４４ａ  頭部（第２の軸方向保持部、第３の突出部）
４４ｂ  中間径部
４４ｃ  小径部
４４ｄ  かしめ部（第２の軸方向保持部、第４の突出部）
４５  ４６  ４７  ５０  かしめピン
４８  トーションばね
４９  第２ブラケット
５５  接続ロッド（接続部材）
５６  ６０  操作ケーブル
５７  ５９  ６１  ６３  ケーブルガイド
５８  連係ケーブル
６２  スライドロック操作ケーブル
Ｒ  シートバックのリクライニング範囲
【図１】
2018027749.tif 000003
【図２】
2018027749.tif 000004
【図３】
2018027749.tif 000005
【図４】
2018027749.tif 000006
【図５】
2018027749.tif 000007
【図６】
2018027749.tif 000008
【図７】
2018027749.tif 000009
【図８】
2018027749.tif 000010
【図９】
2018027749.tif 000011
【図１０】
2018027749.tif 000012
【図１１】
2018027749.tif 000013
【図１２】
2018027749.tif 000014
【図１３】
2018027749.tif 000015
【図１４】
2018027749.tif 000016
【図１５】
2018027749.tif 000017
【図１６】
2018027749.tif 000018
【図１７】
2018027749.tif 000019
【図１８】
2018027749.tif 000020
【図１９】
2018027749.tif 000021
【図２０】
2018027749.tif 000022
【図２１】
2018027749.tif 000023
【図２２】
2018027749.tif 000024
【図２３】
2018027749.tif 000025
【図２４】
2018027749.tif 000026